(57)【要約】  処理面を改質するためのカートリッジ組立体（１０２）の実施形態が含まれる。これらの実施形態は、処理組成物を貯蔵するためのリザーバ（６０４）を含み得、該処理組成物が、処理面へ適用される。カートリッジ組立体（１０２）はまた、リザーバ（６０４）と連結し、カートリッジ筺体と係合するように構成された本体部分（７３０）も含み得る。本体部分（７３０）は、主要係合レール及び補助係合レール（５０２ｆ）を含む複数の係合レール（５０２ａ、５０２ｂ、５０２ｃ、５０２ｄ、５０２ｅ）を含み得、補助係合レール（５０２ｆ）は、カートリッジ筺体との所望の構成での係合を促進するように、主要係合レールよりも短い長さを有する。
2017529122.tif 000002
【特許請求の範囲】
【請求項１】
処理面を改質するためのカートリッジ組立体であって、
処理組成物を貯蔵するためのリザーバであって、前記処理組成物が、前記処理面に適用するためのものである、リザーバと、
前記リザーバと連結し、カートリッジ筺体と係合するように構成された本体部分であって、前記本体部分が、主要係合レール及び補助係合レールを含む複数の係合レールを備え、前記補助係合レールが、前記カートリッジ筺体との所望の構成での係合を促進するように、前記主要係合レールよりも短い長さを有する、カートリッジ組立体。
【請求項２】
前記処理組成物を分注するために前記カートリッジ組立体と角質表面を改質するデバイスとを通信可能に連結するためのコネクタを更に備え、前記コネクタは、前記カートリッジ組立体に関する情報の前記デバイスへの通信を促進し、前記情報は、前記処理組成物の内容物、前記デバイスへの実装のための論理、前記処理組成物の使用期限、前記デバイスの設定を変更するための論理命令、及びバッテリの残量のうちの少なくとも１つを含む、請求項１に記載のカートリッジ組立体。
【請求項３】
前記カートリッジ組立体が前記カートリッジ筺体内へ適切に挿入されると、前記主要係合レールが前記カートリッジ組立体と前記カートリッジ筺体との間に摺動係合を提供し、前記補助係合レールが前記カートリッジ筺体上の遮蔽構成要素を越え、前記カートリッジ筺体内に取り外し可能にロックされることを可能にする、請求項１又は２に記載のカートリッジ組立体。
【請求項４】
前記カートリッジ組立体が前記カートリッジ筺体内へ不適切に挿入されると、前記主要係合レールが前記カートリッジ筺体との間に摺動係合を提供し、前記カートリッジ筺体上の遮蔽構成要素が、前記カートリッジ筺体への前記カートリッジ組立体の完全な挿入を防ぐように、前記主要係合レールと係合する、請求項１〜３のいずれか一項に記載のカートリッジ組立体。
【請求項５】
前記カートリッジ筺体内への前記カートリッジ組立体の適切な挿入のための方向を示すために、前記カートリッジ組立体の表面に配置される視覚的合図を更に備える、請求項１〜４のいずれか一項に記載のカートリッジ組立体。
【請求項６】
前記補助係合レールが、前記カートリッジ筺体上のロックキー機構と取り外し可能に係合するように構成され、それにより前記カートリッジ組立体を前記カートリッジ筺体内部に取り外し可能に固定する、請求項１〜５のいずれか一項に記載のカートリッジ組立体。
【請求項７】
前記処理面を改質するデバイスとの通信を促進するためのチップキャリアと、
前記処理組成物の分注を促進するためのダイと、を更に備える、請求項１〜６のいずれか一項に記載のカートリッジ組立体。
【請求項８】
処理面を改質するためのデバイスであって、
ロックキー機構を備えるカートリッジ筺体と、
前記カートリッジ筺体と係合するように構成され、カートリッジ組立体の表面から各々延在する主要係合部分及び補助係合部分を含む、複数の係合部分を備える前記カートリッジ組立体と、を備え、前記カートリッジ組立体が第１の端部及び第２の端部を更に備え、前記補助係合部分が前記主要係合部分よりも前記第１の端部の近くに配置され、前記カートリッジ筺体内に、前記カートリッジ筺体に対して既定の配向で挿入されたとき、前記カートリッジ組立体が前記ロックキー機構と取り外し可能に係合するように構成されている、デバイス。
【請求項９】
前記カートリッジ組立体が、処理組成物を貯蔵するためのリザーバを更に備え、前記処理面が人体を含み、前記処理組成物が、適切な規制機関によって特定される前記処理面上への適用のために構成されている、請求項８に記載のデバイス。
【請求項１０】
プロセッサを更に備え、前記カートリッジ組立体が、処理組成物の分注を制御するために、前記カートリッジ組立体と前記プロセッサとを通信可能に連結するためのコネクタを更に備え、前記コネクタが前記カートリッジ組立体に関する情報の前記デバイスへの通信を促進し、前記情報が、前記処理組成物の内容物、前記デバイスへの実装のための論理、前記処理組成物の使用期限、前記デバイスの設定を変更するための論理命令、バッテリ電力レベル、及び前記カートリッジ組立体をロック及びロック解除するためのソフトウェアコードのうちの少なくとも１つを含む、請求項８又は９に記載のデバイス。
【請求項１１】
前記カートリッジ組立体が前記カートリッジ筺体内へ適切に挿入されると、前記主要係合部分が前記カートリッジ組立体と前記カートリッジ筺体との間に摺動係合を提供し、前記補助係合部分が前記カートリッジ筺体上の遮蔽構成要素を越え、前記カートリッジ筺体内に取り外し可能にロックされることを可能にする、請求項８、９、又は１０のいずれか一項に記載のデバイス。
【請求項１２】
前記カートリッジ組立体が前記カートリッジ筺体内へ不適切に挿入されると、前記主要係合部分が前記カートリッジ筺体との間に摺動係合を提供し、前記カートリッジ筺体上の遮蔽構成要素が、前記カートリッジ筺体への前記カートリッジ組立体の完全な挿入を防ぐために前記主要係合部分と係合する、請求項８、９、１０、又は１１のいずれか一項に記載のデバイス。
【請求項１３】
前記カートリッジ筺体が、前記カートリッジ筺体の他の表面に対して角度付けられる頂部を備え、前記カートリッジ組立体が、前記カートリッジ筺体内への前記カートリッジ組立体の適切な挿入を提供するために、同様に角度付けられる、請求項８、９、１０、１１、又は１２のいずれか一項に記載のデバイス。
【請求項１４】
前記処理面を改質するプロセッサとの通信を促進するためのチップキャリアと、
処理組成物の分注を促進するためのダイと、を更に備える、請求項８、９、１０、１１、１２、又は１３のいずれか一項に記載のデバイス。
【発明の詳細な説明】
【技術分野】
【０００１】
本出願は、概して分注デバイス用のカートリッジ組立体に関し、具体的には、角質表面又は他の処理面を改質するデバイス内で利用され得るカートリッジ組立体に関する。
【背景技術】
【０００２】
人間の皮膚の色調の変化には、複数の原因がある。にきび、そばかす、日焼けによる損傷、及び加齢による染みは、目に見える皮膚の異常の一般的な原因のほんの一部である。小じわ、しわ、及び傷跡などの質感の変化もまた周知である。色調及び質感の両方の異常は、それらがかなり小さくても人間の目に非常に目立つ。異常及び異常の周囲の皮膚の広い領域を、化粧又は他のコンシーラーで覆うことは既知である。
【０００３】
更に、皮膚異常を隠す又は覆う組成物を、より正確かつ局部的に適用する試みがなされている。皮膚処理組成物を局部的な欠陥に適用するために、皮膚を横切って動かす手持ち式デバイスが開発されている。しかし、これらのデバイスは、速度及び精度の欠如に悩まされている。これらの手持ち式デバイスが効率的に働くためには、それらが欠陥を素早く発見し、直ちに処理する必要がある。染みが効率的に処理され得る前に、ユーザがアプリケータヘッドを皮膚の異なる領域へ移動させた場合、皮膚上の染みを発見することはほとんど役に立たない。
【発明の概要】
【発明が解決しようとする課題】
【０００４】
したがって、この問題を処理する必要性が存在する。必要とされる機能性をデバイスに提供し、促進する、かかるデバイス（及び他の種類の分注デバイス）のためのカートリッジを提供する必要性が更に存在する。
【課題を解決するための手段】
【０００５】
処理面を改質するためのカートリッジ組立体の実施形態が含まれる。これらの実施形態は、処理組成物を貯蔵するためのリザーバであって、処理組成物が処理面へ適用される、リザーバを含み得る。カートリッジ組立体は、リザーバと連結し、カートリッジ筺体と係合するように構成された本体部分を含み得る。本体部分は、主要係合レール及び補助係合レールを含む複数の係合レールを含み得、補助係合レールはカートリッジ筺体との所望の構成での係合を促進するように、主要係合レールよりも短い長さを有する。
【０００６】
処理面を改質するためのデバイスの実施形態も含まれる。デバイスの実施形態は、処理組成物を貯蔵するためのリザーバ、処理面に適用するための処理組成物、及びリザーバと連結する本体部分を含むカートリッジ組立体を含み得る。本体部分は、カートリッジ筺体と係合するように構成され得る。本体部分はまた、カートリッジ組立体の表面から各々延在する主要係合部分及び補助係合部分を含む複数の係合部分を含み得る。本体部分は、第１の端部及び第２の端部を追加で含み得、補助係合部分は主要係合部分よりも第１の端部の近くに配置される。カートリッジ組立体はまた、カートリッジ筺体に対して既定の配向でカートリッジ筺体内へ挿入されるとき、ロックキー機構と取り外し可能に係合するように構成され得る。
【図面の簡単な説明】
【０００７】
前述の一般的な説明及び以下の詳細な説明は両方とも、種々の実施形態を説明し、特許請求される発明の主題の本質及び特徴を理解するための概観又は骨組を提供することが意図されることを理解されたい。添付の図面は、種々の実施形態の更なる理解を提供するために含められたものであり、本明細書の一部に組み込まれると共に本明細書の一部をなすものである。図面は、本明細書に記述される種々の実施形態を例示し、説明と共に、特許請求される発明の主題の原理及び動作を説明する役割を果たす。
【図１】本明細書で開示される実施形態に従うカートリッジ組立体を利用する、処理面を改質するためのデバイスの斜視図を表す。
【図２】処理面を改質するためのデバイスの、内部構成要素の斜視図を表し、本明細書で開示される実施形態に従うカートリッジ組立体を更に例示する。
【図３】デバイスの内部構成要素の別の斜視図を表し、本明細書で開示される実施形態に従うカートリッジ組立体を更に例示する。
【図４】本明細書で開示される実施形態に従うカートリッジ組立体と共に動作中のデバイスの側面図を表す。
【図５Ａ】本明細書で開示される実施形態に従うカートリッジ組立体の複数の側面図を表す。
【図５Ｂ】本明細書で開示される実施形態に従うカートリッジ組立体の複数の側面図を表す。
【図５Ｃ】本明細書で開示される実施形態に従うカートリッジ組立体の複数の側面図を表す。
【図５Ｄ】本明細書で開示される実施形態に従うカートリッジ組立体の複数の側面図を表す。
【図５Ｅ】本明細書で開示される実施形態に従うカートリッジ組立体の複数の側面図を表す。
【図６Ａ】本明細書で開示される実施形態に従う複数の内部構成要素を例示するカートリッジ組立体の複数の斜視図を表す。
【図６Ｂ】本明細書で開示される実施形態に従う複数の内部構成要素を例示するカートリッジ組立体の複数の斜視図を表す。
【図７Ａ】本明細書で開示される実施形態に従うチップキャリア及びカートリッジ組立体の構成要素を表す。
【図７Ｂ】本明細書で開示される実施形態に従うチップキャリア及びカートリッジ組立体の構成要素を表す。
【図８Ａ】本明細書で開示される実施形態に従うカートリッジとカートリッジ筺体との相互作用を表す。
【図８Ｂ】本明細書で開示される実施形態に従うカートリッジとカートリッジ筺体との相互作用を表す。
【図８Ｃ】本明細書で開示される実施形態に従うカートリッジとカートリッジ筺体との相互作用を表す。
【図８Ｄ】本明細書で開示される実施形態に従うカートリッジとカートリッジ筺体との相互作用を表す。
【図８Ｅ】本明細書で開示される実施形態に従うカートリッジとカートリッジ筺体との相互作用を表す。
【発明を実施するための形態】
【０００８】
本明細書で開示される実施形態は、分注デバイス用のカートリッジ組立体のためのシステム及び方法を含む。したがって、これらの実施形態は、カートリッジ組立体がカートリッジ筺体内へ適切に挿入されることを確実にするために、ロックキー機構を提供するように構成され得る。更に、実施形態はカートリッジ筺体内への適切な挿入を更に確実にする遮蔽部分で構成され得る。カートリッジ及びカートリッジ組立体は、角質表面、皮膚、毛髪、爪、歯、舌、木材、金属、セラミックタイル、織物、天板、高分子面、紙などの処理面を処理するためのデバイス内で利用され得る。これらの実施形態において、カートリッジ組立体は処理面上のデバイスによって分注される、処理組成物を貯蔵するためのリザーバを含み得る。本明細書で論じられるように、処理組成物は、塗料、染料、化粧品、薬品などを含み得る。いくつかの実施形態において、処理組成物は、米国食品医薬品局又は他の政府機関などの適切な規制機関によって特定される人体への適用のために特に構成され得る。
【０００９】
ここで図を参照すると、図１は、本明細書で開示される実施形態に従う、カートリッジ組立体１０２を利用する、処理面を改質するためのデバイス１００の斜視図を表す。例示されるように、デバイス１００は、処理面（角質表面、皮膚、毛髪、爪、歯、舌、天板、木材、金属、タイル、織物、高分子面、紙など）とデバイス１００の分注機構との間に緩衝を提供するために利用され得るスペーサ構成要素１０４を含み得る。持ち手部分１０６もまた提供され、それはユーザの手の中に人間工学的に存在するように構成され得る一方で、デバイス１００の１つ以上の内部構成要素を覆う。
【００１０】
同様にカートリッジ組立体１０２は、処理組成物を貯蔵するためのリザーバを含む構成要素を取り外し可能に固定するように構成され得る。処理組成物は、インク、染料、薬品、化粧水、塗料、及び／又は処理面に適用されるであろう他の組成物を含み得る。以下でより詳細に記載されるように、カートリッジ組立体１０２は、処理組成物を処理面に適用するために、処理組成物を１つ以上のノズル（及び／又はノズル列）に分注するためのダイを追加で含み得る。
【００１１】
図２は、処理面を改質するためのデバイス１００の内部構成要素の斜視図を表し、本明細書で開示される実施形態に従うカートリッジ組立体１０２を更に例示する。例示されるように、デバイス１００は、ローラ２０２（１つ以上）、画像取込デバイス２０４、カートリッジ組立体１０２、計算ハードウェア２０６、ディスプレイ２０８（１つ以上）、及び／又は他の構成要素を含み得る。具体的には、ローラ２０２は、処理面に対して押し付けられるとき、デバイス１００のための潤滑機構として利用され得る。具体的には、圧力がデバイス１００によって処理面に対して印加されるにつれ、デバイス１００が処理面に沿って横断することがより困難になる。ローラ２０２は、この摩擦を緩和するために利用され得、デバイス１００がより容易に処理面を横断することを可能にする。ローラは、約０．１ｍｍ〜約１０ｍｍ、好ましくは０．５ｍｍ〜約６ｍｍ、及びより好ましくは約０．７ｍｍ〜約４ｍｍ離間する。代替の実施形態において、ローラは、摩擦を低減するためにコーティングされ得る（例えばテフロン、ポリイミド、パリレンなど）。ローラは、滑り具／滑走面、スライド面、ボール、球体、若しくは平坦であり得るか、又は孔（すなわち、メッシュ又は網のような）を含み得、それはまた摩擦を低減するためにコーティングされ得る。ローラはテフロンのような低摩擦材料製であり得る。
【００１２】
更に、デバイス１００は画像取込デバイス２０４を含む。画像取込デバイス２０４は、所望の機能性を提供するために、赤外線センサ、カメラ、紫外線センサ、分光光度計、及び／又は他の同様のデバイスを含み得る。具体的には、画像取込デバイス２０４は、処理面における不必要な変化を捕捉することができる。計算ハードウェア２０６は、メモリ構成要素、プロセッサ、及び論理回路を含み得る。計算ハードウェア２０６は、処理面における不必要な変化を認識し得、次いで処理組成物を分注するためにカートリッジ組立体１０２にコマンドを送信し得る。ディスプレイ２０８もまた含まれ、それは電力、バッテリの残量、ノズルの状態、リザーバの状態、及び／又は他の情報に関する指標を提供し得る。
【００１３】
図３は、デバイス１００の内部構成要素の別の斜視図を表し、本明細書で開示される実施形態に従うカートリッジ組立体１０２を更に例示する。例示されるように、カートリッジ組立体１０２は、ペンドライバ３０２、膨隆検出ＬＥＤ及び鏡３０４、尾部照明デバイス３０６、電力供給ポート３０８、解放機構３１０、エネルギー貯蔵デバイス３１２、及び有線若しくは無線コネクタ３１４に近接する。鏡３０４はまた、プリズム、回折格子、又は光を曲げる同様の構造でもあり得る。代替として、光導体（例えば、光ファイバスレッド、導波管など）が、光線を鏡へと輸送するために使用され得る。
【００１４】
具体的にはペンドライバ３０２が、ノズルを実装するために、計算ハードウェア２０６との通信を促進するように構成され得る。ノズルは、線形配列構成、多列、オフセット列、正弦波、曲線状、円形、又は鋸歯形配列であり得る。膨隆検出ＬＥＤ及び鏡３０４は、処理面における３次元の変化（膨隆、くぼみ、又は他の変化など）を検出するために構成され得る。３０４のための光源は、発光ダイオード（ＬＥＤ）、白熱光、ネオン管ベース、又は任意の他の市販されている照明源であり得る。光３０４は、一定の照明又は調整可能な照明を有することができる。尾部照明デバイス３０６は、審美的な光源をデバイス１００の尾部に提供するように構成され得る。電力供給ポート３０８は、デバイス１００のバッテリを充電するため（バッテリ駆動の実施形態のため）に、交流及び／又は直流電源と連結するように構成され得る。解放機構３１０は、充電ドック又は他の同様の外部構成要素から、デバイス１００を解放するために利用され得る。エネルギー貯蔵デバイス３１２は、バッテリ、再充電可能なバッテリ、電気化学キャパシタ、二重層キャパシタ、スーパーキャパシタ、又はハイブリッドバッテリキャパシタシステムであり得る。有線／無線コネクタ３１４は、ブルートゥース、ＷｉＦｉ、近距離無線通信（ＮＦＣ）、ＲＦＩＤなどを介して、計算ハードウェア２０６と、インターネットの外部計算ハードウェア、ユーザインターフェイス、又はディスプレイとの間に通信を提供する。
【００１５】
図４は、本明細書で開示される実施形態に従うカートリッジ組立体１０２と共に動作中のデバイス１００の側面図を表す。例示されるように、デバイス１００は、ローラ２０２ａ、２０２ｂが処理面４００に対して押し付けられるように、処理面４００に適用され得る。したがって、画像取込デバイス２０４は、処理面４００の平面から約７０度などの第１の既定の角度で配置され得る。したがって、カートリッジ組立体１０２は、画像取込デバイス２０４を収容するために、処理面４００に対して第２の既定の角度で配置され得る。例示されるように、カートリッジ組立体１０２は、処理面４００に対して９０度とは異なる角度で配置され得る。下で論じられるように、カートリッジ組立体１０２は、カートリッジ組立体１０２の他の側面に対して９０度ではない、少なくとも１つの側面を追加で有し得る。ノズルは、処理面４００に対して約８５度の角度を有し得る。実施形態は、画像取込デバイス２０４とノズルの中心線との間に約２５度の角度を有し得る。いくつかの実施形態は、約６．５ｍｍ×約１３ｍｍの視野を含み得る。更に、ローラ２０２のいくつかの実施形態は、直径約２．５ｍｍであり得る。
【００１６】
したがって動作中、画像取込デバイス２０４は、膨隆検出ＬＥＤ及び鏡３０４によって照明される処理面４００における望ましくない変化の画像を取り込み得る。計算ハードウェア２０６は、適用する処理組成物の量（及び／又はノズルパルスの数）並びに処理組成物を所望の領域に適用するためのタイミングを、その所望の領域に当たるように計算し得る。計算ハードウェア２０６は、特定用途向け集積回路（ＡＳＩＣ）、制御器、フィールドプログラマブルゲートアレイ（ＦＰＧＡ）、集積回路、マイクロ制御器、マイクロプロセッサ、プロセッサなどを含み得る。計算ハードウェアはまた、キャッシュメモリ、埋込みメモリ、ランダムアクセスメモリ（ＲＡＭ）、スタティックランダムアクセスメモリ（ＳＲＡＭ）などのように、ＣＰＵに対して内部であるか、又は、例えばダイナミックランダムアクセスメモリ（ＤＲＡＭ）、リードオンリメモリ（ＲＯＭ）、スタティックＲＡＭ、フラッシュメモリ（例えば、コンパクトフラッシュ若しくはスマートメディアカード）、ディスクドライブ、ソリッドステートディスクドライブ（ＳＳＤ）、埋込みメモリ、又は更にはインターネット上のクラウドストレージなどのように、ＣＰＵに対して外部である、いずれのメモリ機能も含み得る。
【００１７】
図５Ａ〜５Ｅは、本明細書で開示される実施形態に従うカートリッジ組立体１０２の複数の側面図を表す。図５Ａに例示されるように、カートリッジ組立体１０２は、複数の係合レール５０２ａ、５０２ｂ、５０２ｃ、５０２ｄ、５０２ｅ、及び５０２ｆ（集合的に「係合レール５０２」として参照される）、並びにチップキャリア組立体５０４を含み得る。
【００１８】
主要係合レール５０２ａ、５０２ｂ、５０２ｃ、５０２ｄ、及び５０２ｅ、及び補助係合レール５０２ｆが、係合レール５０２に含まれる。具体的には、主要係合レール５０２ａ〜５０２ｅは、デバイス１００内のカートリッジ筺体の内部部分と連結して、それとの摺動係合を提供するように構成され得る。補助係合レール５０２ｆは、下でより詳細に記載されるように、カートリッジ筺体内へのカートリッジ組立体１０２の適切な挿入を促進するために、主要係合レール５０２ａ〜５０２ｅよりも短い長さを有し得る。代替の設計において、摺動係合はスナップオン係合又は両方の組み合わせであり得る。
【００１９】
図５Ｃで表されるコネクタ５０６が追加で含まれる。図５Ｃに例示されるように、コネクタ５０６は１つ以上の電気接点を含み得、それはチップキャリア組立体５０４からノズルへの処理組成物の分注についての命令を受信するために、計算ハードウェア２０６（図２）との通信接続を提供する。ノズルの洗浄及び他の機能性はまた、コネクタ５０６を介しても実装され得る。例として、カートリッジ組立体１０２は情報を貯蔵し得、コネクタ５０６はデバイス１００へのその情報の通信を促進し得る。具体的には、コネクタ５０６は、処理組成物の内容物、デバイス１００への実装のための論理、処理組成物の使用期限、デバイス１００の設定を変更するための論理命令などのうちの１つ以上と通信し得る。コネクタ５０６は、ノズルを通電させるための電力を提供するために、電気的エネルギーを送り得る。
【００２０】
更に、図５Ｅは、カートリッジ組立体１０２が角度付き配向で構成され得ることを例示する。図４に関して論じられるように、カートリッジ組立体１０２は処理面４００に対して角度付けられる幅であり得る。したがって、カートリッジ組立体１０２はこの角度付き構成を収容するように成形され得る。具体的には、カートリッジ組立体１０２は、分注面を含み得、それは９０度とは異なる角度で、実質的に矩形のカートリッジ組立体１０２の他の表面から配置される。いくつかの実施形態において、カートリッジ組立体１０２の本体部分は、円形、曲線状、又は多角形であり得る。
【００２１】
図６Ａ、６Ｂは、本明細書で開示される実施形態に従う、複数の内部構成要素を例示するカートリッジ組立体１０２の複数の斜視図を表す。具体的には、カートリッジ組立体１０２は、ダイ６０２を含むチップキャリア組立体５０４を含む。ダイ６０２は、基材、プリント回路基板、シリコン、ガラス、機械加工できるガラスセラミック、サファイア、アルミナ、液晶高分子、ポリイミド、及びＭＥＭＳ（微小電気機械システム）デバイスから構成され得る。カートリッジ組立体１０２はまた、処理組成物を貯蔵するためのリザーバ６０４を含む。リザーバ６０４は、発泡体６０６及び／又は他の同様の材料で裏張りされ得る。リザーバ６０４を密封する、充填する、及び／又は排水するためのプラグ６０８もまた含まれる。リザーバ６０４は、チップキャリア組立体５０４及びノズルと通信している。
【００２２】
ダイ６０２を介して処理組成物を分注するための、リザーバ６０４内の開口部６１０もまた図６Ａで表される。ポンプ機構が処理組成物を分注するために利用され得る一方、いくつかの実施形態は重力を利用し、カートリッジ組立体１０２を逆位置に位置付け、それは処理組成物がダイ６０２へ自然に流れることを可能にする。図６Ｂは、異なる視点からカートリッジ組立体１０２及びダイ６０２を更に表す。サーマルインクジェット、及び圧電インクジェットが、ダイ６０２を通して処理組成物を分注するために利用され得る。
【００２３】
図７Ａ、７Ｂは、本明細書で開示される実施形態に従う、チップキャリア組立体５０４及びカートリッジ組立体１０２の構成要素を表す。図７Ａに例示されるように、チップキャリア組立体５０４は、複数の層７０２、７０４、７９６、７０８、７１０、を含み、それらは基材、プリント回路基板、シリコン、ガラス、機械加工できるガラスセラミック、サファイア、アルミナ、液晶高分子、ポリイミド、及びＭＥＭＳ（微小電気機械システム）デバイス、及び／又は他の構成要素として構成され得、それらはフレキシブル、リジッドフレックス、及び／又はリジッドであり得る。チップキャリア組立体５０４は、複数の構成要素７１２、７１４、７１６、７１８、７２９を含み得るダイ６０２を追加で含み得る。これらの構成要素は、チップキャリア組立体５０４に固定され得、処理面４００（図４）上への処理組成物の分注を促進する。
【００２４】
図７Ｂは、カートリッジ組立体１０２を表し、それはカートリッジ筺体内へのカートリッジ組立体１０２の挿入のための適切な方向を示すために、視覚的合図７２２を含み得る。視覚的合図７２２は、カートリッジ筺体内へのカートリッジ組立体１０２の挿入のための方向の印刷ラベル、刻印、及び／又は他の記号表現を含み得る。プラグ６０８が含まれ得、洗浄機７２６、発泡体６０６、及び本体部分７３０もまた含まれ得る。図７Ｂの構成要素は、カートリッジ組立体１０２を形成するために、図７Ａからの組立体と組み立てられ、連結され得る。視覚的合図７２２は、カートリッジ組立体８０２又は持ち手部分１０６上にも置かれ得る。
【００２５】
図８Ａ〜８Ｅは、本明細書で開示される実施形態に従う、カートリッジ組立体１０２とカートリッジ筺体８０２との相互作用を表す。図８Ａに例示されるように、カートリッジ組立体１０２は、カートリッジ筺体８０２内への挿入のために構成され得る。カートリッジ筺体内へのカートリッジ組立体１０２の完全な挿入を確実にするために、カートリッジ組立体１０２は、主要係合レール５０２ａ〜５０２ｅ、及び補助係合レール５０２ｆを含み得る。カートリッジ筺体８０２は、カートリッジ筺体８０２の頂部８０６から既定の長さである固定レール８０４を含み得る。固定レールと頂部８０６との間の長さは、カートリッジ筺体８０８内へのカートリッジ組立体１０２の挿入を可能にするために、主要係合レール５０２ａ〜５０２ｅの長さ（カートリッジ組立体１０２の頂部８０６から計測されるような）と実質的に対応し得る。更にカートリッジ筺体８０２は、固定レール８０４からカートリッジ筺体８０２の頂部８０６に向かって延在する遮蔽構成要素８１０（図８Ｃ）を含み得る。この遮蔽構成要素８１０は、適切に位置合わせされるとき、カートリッジ組立体１０２がカートリッジ筺体８０２内へ完全に挿入されることを可能にするように配置され、補助係合レール５０２ｆは主要係合レール５０２ａ〜５０２ｅの長さよりも短い長さを有するため、カートリッジ筺体８０２内に挿入されるとき、カートリッジ組立体１０２が遮蔽構成要素８１０を越えることを可能にする。
【００２６】
ロックキー機構８１２が図８Ｂに表され、それはカートリッジ組立体１０２がカートリッジ筺体８０２内へ適切に挿入されることを確実にするために、補助係合レール５０２ｆと係合する。具体的には、ロックキー機構８１２は、カートリッジ組立体１０２からの電気的又は物理的目印を受け取るように構成され得る。目印が間違っているか又は見つからない場合、カートリッジ筺体８０２はカートリッジ組立体１０２が適切に挿入されていないことを示すであろう。ロックキー機構は、カートリッジ組立体をロック又はロック解除するためにソフトウェアコードを使用するソフトウェアロックを含み得る。このロック機能は、偽造材料又は偽造カートリッジが使用されているかどうかを決定するためにも使用され得る。
【００２７】
図８Ｃに例示されるように、カートリッジ組立体１０２はカートリッジ筺体８０２内へ適切に挿入される。したがって、補助係合レール５０２ｆは、ロックキー機構８１２と係合するように、遮蔽構成要素８１０を越える。
【００２８】
図８Ｄは、カートリッジ組立体１０２がカートリッジ筺体８０２内へ不適切に挿入されていることを例示する。その結果、主要係合レール５０２ａが遮蔽構成要素８１０と接触し、これがカートリッジ筺体８０２内への完全な挿入を防ぐことになる。更に、ロックキー機構８１２は、カートリッジ組立体１０２が適切に挿入されたことを確かめる目印をカートリッジ組立体１０２から受け取らない。これが、図８Ｅに例示され、図では、主要係合レール５０２ａが遮蔽構成要素８１０と接触している。
【００２９】
いくつかの実施形態が主要係合レール５０２ａ〜５０２ｅ及び補助係合レール５０２ｆを利用するが、これは単に例に過ぎないことが理解されるべきである。いくつかの実施形態は、カートリッジ組立体１０２の表面から延在する主要係合部分（１つ以上）及び補助係合部分（１つ以上）を利用し得、係合レール５０２と同様の機能を提供する。これらの係合部分は、本明細書の図に表されるように成形されない場合があるが、代わりにカートリッジ組立体１０２の表面から延在する切欠きとして成形され得、係合レール５０２と同様の機能を果たす。したがって、補助係合部分は、カートリッジ組立体１０２の第１の末端（それは対向する第１の末端及び第２の末端を含み得る）に、主要係合部分より近くに位置付けられ得る。これは、カートリッジ筺体８０２内への完全な挿入のために、カートリッジ組立体１０２が遮蔽構成要素を越えることを可能にする。
【００３０】
カートリッジ組立体１０２及びカートリッジ筺体８０２がデバイス１００内に存在するように表されるが、これもまた例であることも理解されるべきである。処理組成物を分注するための他のデバイスは、本明細書に記載されるように、カートリッジ組立体１０２及び／又はカートリッジ筺体８０２を利用し得る。
【００３１】
更に、いくつかの実施形態は、カートリッジ組立体１０２とカートリッジ筺体８０２との間に認証を提供するために、角度付き分注面を利用するように構成され得る。具体的には、カートリッジ筺体８０２は、カートリッジ組立体１０２を収容するために同様に角度付き頂部８０６で、同様に成形され得る。同様にいくつかの実施形態は、カートリッジ筺体８０２内への角度が付いていないカートリッジの挿入を防ぐために、カートリッジ筺体８０２上に追加の固定レールを含み得る。
【００３２】
本明細書で開示する寸法及び値は、列挙された正確な数値に厳密に限られるとして理解されるべきではない。それよりむしろ、特に指示がない限り、このような寸法はそれぞれ、列挙された値とその値を囲む機能的に同等な範囲との両方を意味することを意図する。例えば、「４０ｍｍ」として開示される寸法は、「約４０ｍｍ」を意味することを意図する。
【００３３】
あらゆる相互参照又は関連特許若しくは関連出願を含む、本明細書に引用される全ての文献は、明確に除外ないしは別の方法で限定されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と競合する限りにおいて、本文書におけるその用語に与えられた意味又は定義が優先されるものとする。
【００３４】
本発明の特定の実施形態が図示及び記載されたが、本発明の趣旨及び範囲から逸脱することなく他の種々の変更及び修正が実施され得ることが、当業者に理解されるであろう。したがって、本発明の範囲内に含まれるそのような全ての変更及び修正は、添付の特許請求の範囲にて網羅することを意図したものである。
【図１】
2017529122.tif 000003
【図２】
2017529122.tif 000004
【図３】
2017529122.tif 000005
【図４】
2017529122.tif 000006
【図５Ａ】
2017529122.tif 000007
【図５Ｂ】
2017529122.tif 000008
【図５Ｃ】
2017529122.tif 000009
【図５Ｄ】
2017529122.tif 000010
【図５Ｅ】
2017529122.tif 000011
【図６Ａ】
2017529122.tif 000012
【図６Ｂ】
2017529122.tif 000013
【図７Ａ】
2017529122.tif 000014
【図７Ｂ】
2017529122.tif 000015
【図８Ａ】
2017529122.tif 000016
【図８Ｂ】
2017529122.tif 000017
【図８Ｃ】
2017529122.tif 000018
【図８Ｄ】
2017529122.tif 000019
【図８Ｅ】
2017529122.tif 000020
【国際調査報告】
2017529122.tif 000021
2017529122.tif 000022
2017529122.tif 000023
2017529122.tif 000024
2017529122.tif 000025